(57)【要約】【課題】換気室を有する鼻隠し化粧板を化粧板の曲がり継手を用いて簡単かつ確実に取り付けることができ、軒先を下から見上げたときに見栄えのよい構成とする。【解決手段】化粧板の曲がり継手２を、継手本体２０の両端部に鼻隠し化粧板１の前面被覆部１１が当接する前壁継手部２１ａと、底面被覆部１３が当接する底壁継手部２３ａとを設けて形成するとともに、この継手本体２０の前壁継手部２１ａ及び底壁継手部２３ａを、鼻隠し化粧板１の端部を外嵌合したときに、継手本体２０の外面と鼻隠し化粧板１の外面とが略面一となるように、前壁継手部２１ａ及び底壁継手部２３ａの外面が鼻隠し化粧板１の前面被覆部１１及び底面被覆部１３の壁厚分だけ内側に窪ませて形成する。【選択図】図１
2011140773.tif 000002
【特許請求の範囲】
【請求項１】
鼻隠し（３）の前面を覆う前面被覆部（１１）と、鼻隠し（３）の底面を覆うとともにその下方に中空状の換気室（Ａ）を形成する底面被覆部（１３）とを有する鼻隠し化粧板（１）を建物のコーナー部で接続する化粧板の曲がり継手において、
継手本体（２０）の両端部に鼻隠し化粧板（１）の前面被覆部（１１）が当接する前壁継手部（２１ａ）と、底面被覆部（１３）が当接する底壁継手部（２３ａ）とが形成され、この継手本体（２０）の前壁継手部（２１ａ）及び底壁継手部（２３ａ）に鼻隠し化粧板（１）の端部を外嵌合したときに、継手本体（２０）の外面と鼻隠し化粧板（１）の外面とが略面一となるように、前壁継手部（２１ａ）及び底壁継手部（２３ａ）の外面が鼻隠し化粧板（１）の前面被覆部（１１）及び底面被覆部（１３）の壁厚分だけ内側に窪んで形成されていることを特徴とする化粧板の曲がり継手。
【請求項２】
略９０度の角度に折れ曲る平板状の底壁（２３２）の外隅側縁から略垂直に立ち上がる前壁（２３１）と、底壁（２３２）の内隅側縁から略垂直に立ち上がる後壁（２３３）とによって上方が開口した底壁被覆部（２３）が形成され、この底壁被覆部（２３）の前壁（２３１）の上端に前壁被覆部（２１）の下端が接合して継手本体（２０）が形成されていることを特徴とする請求項１記載の化粧板の曲がり継手。
【請求項３】
底壁被覆部（２３）の前壁（２３１）の上端と前壁被覆部（２１）の下端とが斜め前方下方へ突出する庇状の突出部（２２）を介して接合され、前壁被覆部（２１）の下部と後壁（２３３）とが補強板（２４）により連結されていることを特徴とする請求項２記載の化粧板の曲がり継手。
【発明の詳細な説明】
【技術分野】
【０００１】
本発明は、鼻隠しの前面や底面を覆う鼻隠し化粧板を、出隅部や入隅部などのコーナー部分で接続する化粧板の曲がり継手に関する。
【背景技術】
【０００２】
鼻隠しは、軒先側に張り出した垂木の端部を隠すために取り付けられるが、木質部材からなる鼻隠しは腐食し易いため、この腐食を防止するとともに鼻隠しの見栄えをよくするために、鼻隠しを塩ビ鋼板や合成樹脂材からなる化粧板で被覆することが行われている。
この従来の化粧板として、図８に示すように、予め直角をなす形態に形成されたコーナー用の化粧板９２を建物の出隅部などに取り付け、その両端にそれぞれ直状の化粧板９１，９１を連結する際に、予め建物の外壁適所に金具９３を取り付けておき、この金具９３に化粧板９１，９２を嵌め合わせるとともに、双方の化粧板９１，９２の突き合わせ端部に跨るようにしてカバー材９４を被着させ、このカバー材９４をねじ９５で一方の化粧板９１に固定することが知られている（例えば、特許文献１〜３参照）。
【先行技術文献】
【特許文献】
【０００３】
【特許文献１】特開平６−６５９９８号公報
【特許文献２】特開平１１−６２２０６号公報
【特許文献３】特開平６−１２９０８０号公報
【発明の概要】
【発明が解決しようとする課題】
【０００４】
しかしながら、この化粧板の施工作業は足場の悪い高所作業となるため、金具９３やカバー材９４の取り付けに手間が掛かり、熟練が要求される。
また、双方の化粧板９１，９２の突き合わせ端部がカバー材９４で覆われ、このカバー材９４の外面と化粧板９１，９２の外面とが面一にはならないため見栄えが悪くなり、さらには金具９３やカバー材９４などの部品点数が増加するため、必然的にコストアップが避けられないという問題が発生する。
【０００５】
本発明は従来技術の有するこのような問題点に鑑み、軒先への取り付け作業が簡単かつ確実に行え、しかも軒先を下から見上げたときに見栄えのよい構成とすることを課題とする。
【課題を解決するための手段】
【０００６】
前記課題を解決するため本発明は、鼻隠し３の前面を覆う前面被覆部１１と、鼻隠し３の底面を覆うとともにその下方に中空状の換気室Ａを形成する底面被覆部１３とを有する鼻隠し化粧板１を建物のコーナー部で接続する化粧板の曲がり継手において、継手本体２０の両端部に鼻隠し化粧板１の前面被覆部１１が当接する前壁継手部２１ａと、底面被覆部１３が当接する底壁継手部２３ａとが形成され、この継手本体２０の前壁継手部２１ａ及び底壁継手部２３ａに鼻隠し化粧板１の端部を外嵌合したときに、継手本体２０の外面と鼻隠し化粧板１の外面とが略面一となるように、前壁継手部２１ａ及び底壁継手部２３ａの外面が鼻隠し化粧板１の前面被覆部１１及び底面被覆部１３の壁厚分だけ内側に窪んで形成されていることを特徴とする。
【０００７】
また、本発明の化粧板の曲がり継手は、略９０度の角度に折れ曲る平板状の底壁２３２の外隅側縁から略垂直に立ち上がる前壁２３１と、底壁２３２の内隅側縁から略垂直に立ち上がる後壁２３３とによって上方が開口した底壁被覆部２３が形成され、この底壁被覆部２３の前壁２３１の上端に前壁被覆部２１の下端が接合して継手本体２０が形成されていることを特徴とする。
【０００８】
このように構成することで、建物の外隅部や内隅部などのコーナー部に継手本体２０を固定した後、この継手本体２０の両端部に形成された前壁継手部２１ａと底壁継手部２３ａに、鼻隠し化粧板１の前面被覆部１１と底面被覆部１３を外嵌合するだけで簡単に接合することができ、継手本体２０の外面と鼻隠し化粧板１の外面が略面一となるため、軒先の前面及び下面がすっきりとした状態で見栄えが良くなる。
【０００９】
また、本発明は前記構成からなる化粧板の曲がり継手において、底壁被覆部２３の前壁２３１の上端と前壁被覆部２１の下端とが斜め前方下方へ突出する庇状の突出部２２を介して接合され、前壁被覆部２１の下部と後壁２３３とが補強板２４により連結された構成とすることができる。
【００１０】
このように構成することで、継手本体２０の前壁被覆部２１を伝って落下する雨水を庇状の突出部２２の先端で水切りして軒下に落下させることができ、前壁被覆部２１の下部と後壁２３３とが補強板２４で連結されることによって、継手本体２０の剛性が高まり、ねじれや押圧力などの外力を受けても変形し難くなる。
【発明の効果】
【００１１】
本発明の化粧板の曲がり継手は、部品点数が少なく、継手部の構造が簡素であるため、廉価に提供することができる。また、本発明の曲がり継手を用いれば、足場の悪い高所でも施工作業が簡単かつ確実に行え、曲がり継手の外面と化粧板の外面とが面一となるため、軒先の前面及び下面がすっきりとしたイメージとなり、軒先を見栄え良く処理することができる。
【図面の簡単な説明】
【００１２】
【図１】本発明の一実施形態の曲がり継手を表側から見た状態を示す斜視図である。
【図２】図１の曲がり継手を裏側から見た状態を示す斜視図である。
【図３】図１の曲がり継手の側面図である 。
【図４】本発明の曲がり継手を用いて鼻隠し化粧板を接続する施工状態を示す展開斜視図である。
【図５】図４の平面図である。
【図６】鼻隠し化粧板の要部を示す拡大斜視図である。
【図７】鼻隠しに曲がり継手と鼻隠し化粧板を取り付けた状態を示す側面から見た断面図である。
【図８】従来の曲がり継手に化粧板を連結する状態を示す展開斜視図である。
【発明を実施するための形態】
【００１３】
本発明の好適な一実施形態を図面に基づいて説明する。
図１〜図７は本発明の一実施形態の化粧板の曲がり継手とこれを用いて建物の鼻隠しに鼻隠し化粧板を取り付ける施工の態様を示しており、図中、符号１は鼻隠し化粧板、２は化粧板の曲がり継手である。
【００１４】
鼻隠し化粧板１は、例えば表面を塩化ビニル樹脂で覆うなどの耐蝕加工が施された被覆鋼板や、亜鉛鋼板などの耐火性を有する長尺の鋼板をロールフォーミング、ベンダーなどで折り曲げて形成したものであり、鼻隠し３の前面を覆う前面被覆部１１の下端に斜め前方下方に突出する庇状の突出部１２が形成され、この突出部１２の下方に鼻隠し３の底面を覆うとともに中空状の換気室Ａを形成する底面被覆部１３が形成されている。
また、前面被覆部１１の上端には、当該前面被覆部１１に対して直角に軒先前方へ折れ曲がる平坦部１５と、この平坦部１５の先端から斜め前方下方へ屈曲する傾斜部１６が形成されている。
【００１５】
図７に示すように、鼻隠し３の前面は略垂直で、その底面は垂木４の底面４１と略同角度で傾斜しており、鼻隠し３の底面は垂木４の底面４１より上方に位置して設けられている。
鼻隠し化粧板１は、前面被覆部１１が鼻隠し３の前面を覆ってビスや釘などの支持金具で打ち込み固定され、前面被覆部１１の下方に折り曲げ形成された底面被覆部１３が鼻隠し３の底面を覆うとともに中空状の換気室Ａを形成し、底面被覆部１３の後面１３３の上端から家屋側へ斜め上方に延出した後端支持部１４が垂木４の底面４１にビスや釘などの支持金具Ｐで打ち込み固定される。
【００１６】
このようにして鼻隠し化粧板１の後端支持部１４が垂木４の底面４１に固定されると、後端支持部１４と鼻隠し３の底面との間に軒裏通路５が形成され、この軒裏通路５が屋根裏に連通して換気が行われる。
【００１７】
鼻隠し化粧板１の底面被覆部１３は、前面１３１、底面１３２及び後面１３３によって形成され、換気室Ａの前面１３１には空気の流入口となる複数の通気孔１７が穿設されている。
図６に示すように、通気孔１７は上下が前面１３１と結合するとともに左右が切断されて換気室Ａ側に陥没した打ち抜き加工によって形成されており、陥没した屈曲板１７１の両側と前面１３１の打ち抜き部との隙間が空気の流通孔１７２となっており、この鼻隠し化粧板１の端部は鼻隠し３のコーナー部に取り付けられた曲がり継手２に接続される。
【００１８】
曲がり継手２は、塩ビ樹脂やＰＰ樹脂などを射出成形することによって一体成形したものであり、図１〜図３に示すように、略９０度の角度に折れ曲る平板状の底壁２３２の外隅側縁から垂直に立ち上がる前壁２３１と、底壁２３２の内隅側縁から略垂直に立ち上がる後壁２３３とによって形成された上方が開口した底壁被覆部２３と、垂直に立ち上がる前壁被覆部２１とによって継手本体２０が形成されている。
前壁被覆部２１の下端と底壁被覆部２３の前壁２３１とは、斜め前方下方に突出する庇状の突出部２２を介して接合しており、前壁被覆部２１の上端には、当該前壁被覆部２１に対して直角に軒先前方へ折れ曲がる平坦部２５と、この平坦部２５の先端から斜め前方下方へ屈曲する傾斜部２６が形成され、さらに前壁被覆部２１の下部と後壁２３３とが補強板２４により連結されている。
【００１９】
この継手本体２０の両端部には、鼻隠し化粧板１の前面被覆部１１が当接する前壁継手部２１ａと、底面被覆部１３が当接する底壁継手部２３ａとが形成されており、この継手本体２０の前壁継手部２１ａと底壁継手部２３ａに鼻隠し化粧板１の端部を外嵌合したときに、継手本体２０の外面と鼻隠し化粧板１の外面が略面一となるように、前壁継手部２１ａ及び底壁継手部２３ａの外面が前記鼻隠し化粧板１の前面被覆部１１及び底面被覆部１３の壁厚分だけ内側に窪んで形成されている。
さらに詳しくは、前壁継手部２１ａの外面は、鼻隠し化粧板１の前面被覆部１１の壁厚分だけ内側に窪んで形成されており、前壁被覆部２１の上端に形成された平坦部２５と傾斜部２６にも、鼻隠し化粧板１の平坦部１５と傾斜部１６の壁厚分だけ下側に窪んだ平坦継手部２５ａと傾斜継手部２６ａが形成されている。
また、底面継手部２３ａの外面、すなわち前壁２３１ａ、底壁２３２ａ及び後壁２３３ａの外面は、鼻隠し化粧板１の底面被覆部１３、すなわち前面１３１、底面１３２及び後面１３３の壁厚分だけ内側に窪んで形成されている。
【００２０】
次に、この曲がり継手２を用いて、鼻隠し化粧板１を軒先に取り付ける際の作業手順を説明する。
先ず、曲がり継手２を鼻隠し３のコーナー部の適所にビス、釘などで固定する。次いで、鼻隠し化粧板１の前面被覆部１１を鼻隠し３の前面に固定する。
このとき、鼻隠し化粧板１の前面被覆部１１を鼻隠し３の前面に押し当てるとともに、後端支持部１４を垂木４の底面４１に押し当て、鼻隠し化粧板１を水平方向にスライドさせてその端部を曲がり継手２の継手部に外嵌合させる。
このように鼻隠し化粧板１の前面被覆部１１及び底面被覆部１３を継手本体２０の前壁継手部２１ａ及び底壁継手部２３ａの外面に押し当て、継手本体２０の外面と鼻隠し化粧板１の外面が略面一となっていることを確認した後、前面被覆部１１と後端支持部１４にビスや釘などの支持金具Ｐを打ち込んで鼻隠し化粧板１を固定する。
【００２１】
かくして、鼻隠し化粧板１の端部が曲がり継手２に接続されるとともに、鼻隠し３の前面及び底面が鼻隠し化粧板１及び曲がり継手２で一体的に覆われる。
そして、鼻隠し３の底面と底面被覆部１３との間に軒裏通路５が形成され、通気孔１７から換気室Ａ内に流入した空気は軒裏通路５を通過して屋根裏の換気が行われる。
【００２２】
なお、図示した曲がり継手は、鼻隠しの出隅部に取り付けられる曲がり継手の一例を示すものであり、本発明はこれに限定されない。例えば、鼻隠しの入隅部に取り付けられる曲がり継手に適用することも可能であって、樹脂被覆鋼板を折り曲げて継手本体を成形することもできる。
【符号の説明】
【００２３】
１  鼻隠し化粧板、１１  前面被覆部、１２  突出部、１３  底面被覆部、１４  後端支持部、１５  平坦部、１６  傾斜部、１７  通気孔、１７１  屈曲板、２  曲がり継手、２０  継手本体、２１  前面被覆部、２１ａ  前壁継手部、２２  突出部、２３  底壁被覆部、２３ａ  底壁継手部、２３１  前壁、２３２  底壁、２３３  後壁、２４  補強板、２５  平坦部、２６  傾斜部、３  鼻隠し、４  垂木、５  軒裏通路、Ａ  換気室
【図１】
2011140773.tif 000003
【図２】
2011140773.tif 000004
【図３】
2011140773.tif 000005
【図４】
2011140773.tif 000006
【図５】
2011140773.tif 000007
【図６】
2011140773.tif 000008
【図７】
2011140773.tif 000009
【図８】
2011140773.tif 000010